(57)【要約】  本発明は、特にスポーツ活動時に使用するための靴下に関する。この靴下では、くるぶしの領域に、ほぼ棒状に形成された少なくとも１つのクッション（３）が設けられている。
2008511762.tif 000002
【特許請求の範囲】
【請求項１】
少なくともくるぶしの領域に、ほぼ棒状に形成された少なくとも１つのクッション（３）が設けられていることを特徴とする、スポーツ活動時に使用するための靴下。
【請求項２】
くるぶしの領域に、互いに隣接して配置された少なくとも２つのクッション（３）が設けられている、請求項１記載の靴下。
【請求項３】
クッション（３）が異なる長さを有している、請求項１又は２記載の靴下。
【請求項４】
クッション（３）が互いにほぼ平行に位置調整されている、請求項１から３までのいずれか１項記載の靴下。
【請求項５】
靴下の脚部内側及び／又は脚部外側に空気通路（２５）が設けられている、請求項１から４までのいずれか１項記載の靴下。
【請求項６】
踏み領域（１３）に少なくとも１つの空調通路（２６）が設けられている、請求項１から５までのいずれか１項記載の靴下。
【請求項７】
空気通路（２５）が空気調整する網状編成布から成っている、請求項１から６までのいずれか１項記載の靴下。
【請求項８】
空調通路（２６）が空気調整する網状編成布から成っている、請求項１から７までのいずれか１項記載の靴下。
【請求項９】
靴下にＸ字形クロスバンデージ（２４）が設けられている、請求項１から８までのいずれか１項記載の靴下。
【請求項１０】
靴下がクッション（２２，２３）を有している、請求項１から９までのいずれか１項記載の靴下。
【発明の詳細な説明】
【技術分野】
【０００１】
本発明は、特にスポーツ活動時に使用するための靴下に関する。
【０００２】
人の足は、しばしば堅固な靴内に収められる。このことは特に、例えばスポーツ活動時に人が多く且つ素早く運動する場合に云える。堅固な靴によって既に足における発汗量の増大が生ぜしめられる。人のスポーツ活動に際しては、この発汗量は平均以上に多い。汗が靴若しくは靴下内に集まることによって、足に水泡が形成される危険が高められるので、靴若しくは靴下からの汗の搬出を可能にすることが努力されている。
【０００３】
ドイツ連邦共和国実用新案第２９７１５７６２号明細書から、特にジョギング、インラインスケート又はスキー等のレジャースポーツの類に使用するための空調型ストッキングが公知であり、この空調型ストッキングは、足底から折返しにまで到達する、空調型の網状編成布から成る少なくとも１つの組み込まれた空気通路を有している。この空調通路は、汗の湿分が靴底領域から自由な蒸発が可能なストッキングの領域にまで搬送されることによって、発生する湿気の大部分の蒸発を可能にする。当該の公知の空調型ストッキングは、この空調型ストッキングに課された全ての課題を満たしている。但し、このためには空気通路を設けることが必要とされている。
【０００４】
本発明の課題は、靴からの湿気の搬出を簡単にすることである。この課題は本発明に基づいて、くるぶしの領域に、ほぼ棒状に形成された少なくとも１つのクッションが設けられていることによって解決される。
【０００５】
本発明によって、靴若しくは靴下からの汗の搬出を、このために空気通路を必要とすること無く可能にする、特にスポーツ活動用の靴下が得られる。くるぶしの領域に棒状のクッションを設けることにより、靴内に発生する高い湿気を靴から搬出する手段が得られる。このことは、クッションの両側で、靴下と靴との間にギャップが生ぜしめられており、このギャップを介して通気及び空気抜きを行うことができるということによって保証されている。
【０００６】
本発明の有利な構成では、くるぶしの領域に、互いに隣接して配置された少なくとも２つのクッションが設けられている。複数のクッションを隣接して配置することによって、靴下と靴との間のギャップが拡大され、これにより、通気及び空気抜きが付加的に改良されている。
【０００７】
本発明の別の有利な構成では、複数のクッションが互いにほぼ平行に位置調整されている。この平行な位置調整に基づいて、クッション間には１つ又は複数の通路が形成されている。複数のクッションを設けることにより、靴下と靴との間に形成されたギャップの拡大が生ぜしめられ、これにより、空気交換が更に改善されている。
【０００８】
本発明の更に別の有利な構成では、選択的に靴下の脚部内側及び／又は脚部外側に１本の空気通路が設けられている。これにより、汗を靴の領域から搬出する性能が更に向上されている。
【０００９】
本発明の更に別の有利な構成では、靴下の踏み領域が少なくとも１つの空調通路を有しており、この空調通路は靴下の外側範囲に向かって延びている。これにより、踏み領域における均質な空調が得られる。それというのも、踏み領域に発生する湿気もが搬出されるからである。これにより、快適な踏み心地が生ぜしめられている。
【００１０】
有利には、靴下にＸ字形クロスバンデージが設けられている。このＸ字形クロスバンデージは、脚部と足との間の移行範囲においてくるぶしを支持する。
【００１１】
以下に、本発明の実施例を図面につき詳しく説明する。
【００１２】
実施例として選択した靴下Ａ（図１）は、足部１とシャフト２とから成っている。足部１はつま先領域１１と、かかと領域１２と、つま先領域とかかと領域との間に位置する踏み領域１３とを有している。これらの領域１１，１２，１３は、実施例で示すように、強化された材料から製作されていてよい。例えばフリースウールとエラスタン等の弾性繊維材料との材料コンビネーションを使用することも可能である。前記領域に付加的なクッション又はパッドを配置することも可能である。シャフト２の、足部１とは反対の側の端部には、折返し２１が設けられている。
【００１３】
靴下Ａのくるぶしの範囲には１つのクッション３が設けられており、このクッション３は、ほぼ棒状に形成されており且つほぼ垂直方向の向きを有している。クッション３は、靴Ｂを履いた状態で部分的に靴に突入し且つ部分的に靴から突出する長さを有している。つまり、クッション３は靴シャフトの移行部に配置されており且つ部分的に靴シャフトから外に出ている（図２）。
【００１４】
クッション３によって、クッションの両側の靴シャフトの領域では、靴下Ａと靴Ｂとの間にギャップＸが生ぜしめられており（図３）、このギャップＸを介して通気及び空気抜きを行うことができる。靴を地面に置くことにより、靴の中の空気は靴から押し出される。通常、空気は靴の通気開口を介して抜くことができるに過ぎない。しかし、これらの通気開口の容量は極めて制限されている。クッション３と、このクッション３によって生ぜしめられるギャップＸとによって、空気を抜くための付加的な手段が得られ、これにより、靴の空気抜きが著しく改良されている。同じことは、逆に通気の場合にも云える。靴が地面から持ち上げられると、空気が靴に吸い込まれる。このことは靴下と靴との間のギャップＸによって著しく容易にされている。
【００１５】
靴の通気及び空気抜きを更に改善するためには、付加的なクッション３を設けることが可能である。図４に示した実施例では、２つのクッション３が設けられている。この場合、これらのクッション３はほぼ平行に位置調整されているので、当該のクッション３間には１つ又は複数の通路が形成されている。複数のクッション３を設けることにより、靴下Ａと靴Ｂとの間に形成されたギャップの拡大が生ぜしめられ、これにより、空気交換が更に改善されている。
【００１６】
図５に示した実施例では、靴下Ａのシャフト２のふくらはぎの範囲に複数のクッション２２が設けられており、図示の実施例では複数の棒状パッドが設けられている。別の形状のクッションも可能である。すねの下部域にも、足部の甲に移行するように複数のクッション２３が配置されている。アキレス腱の範囲に複数のクッションを配置することも、やはり可能である。
【００１７】
クッションは、一般に合成糸又は複合織布又は複合糸又は類似の材料から製作されている。本実施例では、靴下のクッションは中空繊維から製作されており、これらの中空繊維はウール又は木綿によって被覆されている。中空合成糸は、特に著しく衝撃・圧力緩衝性になっている。踏み領域１３は、摩耗の阻止を支援するマイクロ繊維編成品から製作されていてよい。つま先及びかかと領域でも、要求に応じて足床がマイクロ繊維から製作されている。
【００１８】
更に、靴下ＡはＸ字形クロスバンデージ２４を備えている。このＸ字形クロスバンデージ２４は、弾性的な空気調整する織布から形成されている。Ｘ字形クロスバンデージ２４は、脚部と足との間の移行領域のくるぶしを支持する。
【００１９】
本実施例では、折返し２１から空気通路２５が出発しており、この空気通路２５は踏み領域１３内にまで達しており且つ空気調整する網状編成布から形成されている。空気通路２５は、湿気を踏み領域から上方へ導出するために寄与する。このような空気通路２５は、脚部内側に、又は靴下の両側に設けられていてもよい。
【００２０】
図５に示した実施例では、くるぶしの範囲に３つのクッション３が設けられている。この場合、外側の２つのクッション３は、部分的に空気通路２５の縁部をくるぶしの範囲に形成する。真ん中のクッション３は空気通路２５内に配置されている。互いに平行なこれらのクッション３は斜めに配置されている。これにより、クッション３はほぼ水平方向に向けられた足部１からほぼ垂直方向に向けられたシャフト２に移行している。この移行は、クッション３の足部１に面した端部に小さなアーチが設けられており、このアーチの自由端部がほぼ水平方向に向けられていることによって、付加的に改善可能である。比較可能に、クッション３の足部１とは反対の側の端部が、自由端部をほぼ垂直方向に向けられた小さなアーチを有していてよい。
【００２１】
３つのクッション３はほぼ平行に位置調整されており且つ異なる長さを有している。本実施例では、外側の２つのクッション３がほぼ同じ長さを有しており、真ん中のクッション３はより大きな長さを有している。クッション３は上で説明したように働き、これによりクッション３は空気通路２５の作用を支援する。靴下Ａに複数の空気通路２５が設けられている場合には、クッション３をくるぶしの範囲を超えて拡張する可能性がある。このことは、特に空気通路２５の縁部を形成するクッションについて云える。クッション３が前記のように湾曲されて構成され且つシャフト２の方向に延長された場合、クッション３は空気案内の機能を引き受ける。これにより、靴Ｂから漏出する湿った空気が、この空気のために設けられた通路２５内で蒸発若しくは案内されるということが保証される。
【００２２】
靴下の踏み領域１３には３つの空調通路２６が設けられている。これらの空調通路２６によって踏み領域１３が中断されている。空調通路２６は踏み領域の外縁部で始まり且つ外縁部で終わっている。空調通路２６は、空気調整する網状編成布から形成されている。空調通路２６は、網状編成布の厚さが踏み領域の厚さに対応しており、これにより、連続した表面が得られるように構成されていてよい。これにより、履き心地がポジティブに影響されている。
【００２３】
靴下Ａの脚部の内側と外側とに複数の空気通路２５が設けられている場合、空調通路２６は脚部内側と脚部外側とにそれぞれ設けられた空気通路２５の間に延びている。空調通路２６の数及び寸法は、ほぼ自由に選択可能である。脚部内側と脚部外側とに空気通路２５が接続されていると、靴内の最適な空気循環が生ぜしめられるので、最大限の空気湿度が靴若しくは靴下から搬出され得る。
【００２４】
本発明は、実施例の説明及び請求の範囲に記載した靴下のみに限定されるものではない。むしろ当該靴下の概念にはストッキング、タイツ等も包括され、本発明はこれらに関するものでもある。
【図面の簡単な説明】
【００２５】
【図１】１つのクッションを有する靴下の側面図である。
【図２】図１に示した靴下を靴と一緒に示した側面図である。
【図３】図２に示したＩＩＩ−ＩＩＩ線に沿って断面した図である。
【図４】２つのクッションを有する靴下の側面図である。
【図５】側方空気通路、Ｘ字形クロスバンデージ、３つのクッションを有する靴下の側面図である。
【図１】
2008511762.tif 000003
【図２】
2008511762.tif 000004
【図３】
2008511762.tif 000005
【図４】
2008511762.tif 000006
【図５】
2008511762.tif 000007
【国際調査報告】
2008511762.tif 000008
2008511762.tif 000009
2008511762.tif 000010
2008511762.tif 000011
2008511762.tif 000012
2008511762.tif 000013